【手続補正書】
【提出日】平成25年8月20日(2013.8.20)
【手続補正１】
【補正対象書類名】特許請求の範囲
【補正対象項目名】全文
【補正方法】変更
【補正の内容】
【特許請求の範囲】
【請求項１】
接合レンズと、該接合レンズを保持する保持部材とを含む光学系において、前記接合レンズの像側レンズは、物体側レンズよりも外径が大きく、前記像側レンズの外周部は、前記接合レンズの光軸方向の位置を決定するための位置決め部を有し、前記保持部材は、前記位置決め部を物体側と像側から挟み込むことによって前記接合レンズを保持しており、像面から前記接合レンズの最も物体側のレンズ面までの光軸上の距離をＬ、前記光学系の焦点距離をｆとするとき、
０．２  ＜  Ｌ／ｆ  ＜  １．０
なる条件式を満足することを特徴とする光学系。
【請求項２】
前記光学系の最も物体側のレンズ面から像面までの光軸上の距離をＬｔｏｔａｌとするとき
０．４  ＜  Ｌｔｏｔａｌ／ｆ  ＜  １．２
なる条件式を満足することを特徴とする請求項１に記載の光学系。
【請求項３】
前記像側レンズの位置決め部は光軸方向に隔てて２つ設けられており、該２つの位置決め部は互いに平行な平面部より成ることを特徴とする請求項１または２に記載の光学系。
【請求項４】
前記２つの位置決め部の平面部の光軸方向の間隔をｄｏｕｔ、前記接合レンズの中心肉厚をｄｃｅｎとするとき
０．０５  ＜  ｄｏｕｔ／ｄｃｅｎ  ＜  ０．８０
なる条件式を満たすことを特徴とする請求項３に記載の光学系
【請求項５】
前記接合レンズは正レンズと負レンズより成り、該正レンズの光入出射面のうち、小さい方の径をｄｅａ、該光入出射面の径の最周辺における光軸方向の厚みをｄｃｏｖとするとき
０．０２  ＜  ｄｃｏｖ／ｄｅａ  ＜  ０．４０
なる条件式を満たすことを特徴とする請求項１乃至４のいずれか１項に記載の光学系。
【請求項６】
前記接合レンズは、物体側より像側へ順に、正レンズと負レンズより成ることを特徴とする請求項１乃至５のいずれか１項に記載の光学系。
【請求項７】
前記光学系は、物体側より像側へ順に、正の屈折力の第１レンズ群、フォーカシングに際して光軸上を移動する負の屈折力の第２レンズ群、正の屈折力の第３レンズ群より成ることを特徴とする請求項１乃至６のいずれか１項に記載の光学系。
【請求項８】
前記接合レンズは、前記第２レンズ群に含まれることを特徴とする請求項７に記載の光学系。
【請求項９】
物体側より像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群より構成され、前記第２レンズ群と前記第５レンズ群と前記第７レンズ群は、ズーミングのためには不動であり、前記第１レンズ群と前記第３レンズ群と前記第４レンズ群と前記第６レンズ群がズーミングに際して移動し、前記接合レンズが前記第２レンズ群に配置されていることを特徴とする請求項１乃至６のいずれか１項に記載の光学系。
【請求項１０】
前記保持部材は、レンズ保持枠と押さえ環よりなることを特徴とする請求項１乃至９のいずれか１項に記載の光学系。
【請求項１１】
前記保持部材は、レンズ保持枠の突き当て部と、前記レンズ保持枠の加締め爪よりなることを特徴とする請求項１乃至９のいずれか１項に記載の光学系。
【請求項１２】
請求項１乃至１１のいずれか１項に記載の光学系と、該光学系によって形成された像を受光する固体撮像素子を有することを特徴とする光学機器。
【手続補正２】
【補正対象書類名】明細書
【補正対象項目名】００１３
【補正方法】変更
【補正の内容】
【００１３】
本発明の光学系は、接合レンズと、該接合レンズを保持する保持部材とを含む光学系において、前記接合レンズの像側レンズは、物体側レンズよりも外径が大きく、前記像側レンズの外周部は、前記接合レンズの光軸方向の位置を決定するための位置決め部を有し、前記保持部材は、前記位置決め部を物体側と像側から挟み込むことによって前記接合レンズを保持しており、像面から前記接合レンズの最も物体側のレンズ面までの光軸上の距離をＬ、前記光学系の焦点距離をｆとするとき、
０．２  ＜  Ｌ／ｆ  ＜  １．０
なる条件式を満足することを特徴としている。
【手続補正３】
【補正対象書類名】明細書
【補正対象項目名】００２３
【補正方法】変更
【補正の内容】
【００２３】
本発明者は、接合レンズにおいて接着剤の硬化時にレンズ周辺部で発生する応力に加え、更にその部分に保持機構（保持部材）からの応力が掛かった時、より大きな複屈折が生じ、光学性能が劣化することを見出した。
【手続補正４】
【補正対象書類名】明細書
【補正対象項目名】００２５
【補正方法】変更
【補正の内容】
【００２５】
従来、接合レンズのレンズ保持枠における保持方法では、接合レンズの両側を挟み込むように押さえていた。または、有効径が小さい像側のレンズの外径を物体側のレンズの外径より小さくし、物体側のレンズのみで押さえていた。前者の場合、特にレンズ周辺部で肉厚が薄くなる正レンズ側に、接着剤の硬化による応力と保持機構からの応力が２重で加わり、正レンズの材料の複屈折が大きく発生していることが分かった。後者の場合、物体側のレンズに保持機構からの応力が集中するため、接着剤の硬化による応力と併せて物体側のレンズの材料に大きな複屈折が発生する。更に、物体側のレンズは軸上光線高ｈが大きくなるため、複屈折の影響が瞳周辺光束に対してより顕著に現れていた。
【手続補正５】
【補正対象書類名】明細書
【補正対象項目名】００３８
【補正方法】変更
【補正の内容】
【００３８】
接合レンズＣ１は光路中のＬ／ｆ＝０．５７の位置に配置され、接合レンズＣ２は光路中のＬ／ｆ＝０．３２の位置に配置されており、共に条件式（１）を満たしている。そのため、それぞれの接合レンズＣ１，Ｃ２において、軸上光束のレンズ周辺部を通る光線の結像位置がばらつき易い条件となっている。接合レンズＣ１は、図３（ａ）のレンズ保持機構に示すように物体側より順に像側へ正レンズ（物体側正レンズ）１と負レンズ（像側負レンズ）２とを接合して構成されている。像側負レンズ２の外径は物体側正レンズ１よりも大きい。接合レンズＣ１は、物体側正レンズ１の外周よりも外側に位置し、光軸方向の位置決めを行う位置決め部としての２つの平面部５、６を保持部材としての鏡筒（レンズ保持枠）４と押さえ環３で物体側と像側の両側から挟み込むことで、光軸方向の保持を行っている。
【手続補正６】
【補正対象書類名】明細書
【補正対象項目名】００３９
【補正方法】変更
【補正の内容】
【００３９】
尚、鏡筒４による接合レンズＣ１の径方向の保持は、像側負レンズ２の外周の平面部７を鏡筒４の内周面に突き当てることで決定保持している。接合レンズＣ２は図３（ｂ）に示すように、物体側より像側へ順に正レンズ（物体側正レンズ）１と負レンズ（像側負レンズ）２とを接合して構成されている。像側負レンズ２の外径は物体側正レンズ１よりも大きい。接合レンズＣ２は物体側正レンズ１の外周よりも外側で光軸方向に位置する負レンズ２の物体側の平面部５を鏡筒４の突き当て部４ａに突き当てている。そして鏡筒４の一部の加締め爪８を熱変形させて負レンズ２の像側の位置決め部としての平面部６に掛けることで光軸方向の保持を行っている。ここで突き当て部４ａと加締め爪８は平面部５、６を物体側と像側の両側から挟み込むことで保持する保持部材である。
【手続補正７】
【補正対象書類名】明細書
【補正対象項目名】００５５
【補正方法】変更
【補正の内容】
【００５５】
次に、各実施例に各々対応する数値実施例１〜３を示す。各数値実施例においてｉは物体側からの光学面の順序を示し、ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。また、焦点距離、Ｆナンバー等のスペックに加え、画角は全系の半画角、像高は半画角を決定する最大像高、レンズ全長は第１レンズ面から像面までの距離、ＢＦは最終レンズ面から像面までの長さを示している。